(57)【要約】【課題】棒付きのアイスキャンディーをブロック状に小さくカットするためのアイスキャンディー用カッターを提供する。【解決手段】棒２３ａ付きのアイスキャンディー２３をブロック状にカットするためのアイスキャンディー用カッター１１であって、アイスキャンディー用カッターは、底部１４と４箇所の側壁１５と開口する上部１６とを有する箱形の容器部１２と、容器部に施蓋する蓋部１３とからなり、容器部は、底部に枡目状に区切られた下刃１７が設けられ、少なくとも１箇所の側壁に棒を突出させるための切欠き部１９を有し、蓋部は、下側に枡目状に区切られた上刃２０が設けられている。【選択図】図７
0003190996.tif 000002
【実用新案登録請求の範囲】
【請求項１】
棒付きのアイスキャンディーをブロック状にカットするためのアイスキャンディー用カッターであって、
該アイスキャンディー用カッターは、底部と４箇所の側壁と開口する上部とを有する箱形の容器部と、該容器部に施蓋する蓋部とからなり、
前記容器部は、前記底部に枡目状に区切られた下刃が設けられ、少なくとも１箇所の前記側壁に前記棒を突出させるための切欠き部を有し、
前記蓋部は、下側に枡目状に区切られた上刃が設けられていること
を特徴とするアイスキャンディー用カッター。
【請求項２】
前記蓋部の上側にスプーン収納部を設け、該スプーン収納部にスプーン部材を取り出し自在に収納すること
を特徴とする請求項１に記載のアイスキャンディー用カッター。
【請求項３】
前記下刃及び上刃の先端部は、鋸刃状に形成されていること
を特徴とする請求項１に記載のアイスキャンディー用カッター。
【考案の詳細な説明】
【技術分野】
【０００１】
本考案は、棒付きのアイスキャンディーをブロック状に小さくカットするためのアイスキャンディー用カッターに関するものである。
【背景技術】
【０００２】
アイスキャンディーは、水、果汁、牛乳などに甘味料や香料などを加えて、直方体の型に流し入れ、持ち手にする棒をセットして凍らせた氷菓子であり、このようなアイスキャンディーが一般に市販されている。
【０００３】
ところで、アイスキャンディーを小さくカットするための専用のカッターは、従来例が存在しない。必要があれば、ナイフや包丁を使用してアイスキャンディーを適宜の大きさにカットする。
【０００４】
なお、特開２０１３−７８３０２号公報（特許文献１参照）、特開２０００−２３７９９１号公報（特許文献２参照）、実開昭６３−１５４１９６号公報（特許文献３参照）、及び実開昭４７−１５０５７号公報（特許文献４参照）には、豆腐などの食品をさいの目状にカットする細断器の発明が開示されている。
【先行技術文献】
【特許文献】
【０００５】
【特許文献１】特開２０１３−７８３０２号公報
【特許文献２】特開２０００−２３７９９１号公報
【特許文献３】実開昭６３−１５４１９６号公報
【特許文献４】実開昭４７−１５０５７号公報
【考案の概要】
【考案が解決しようとする課題】
【０００６】
アイスキャンディーは、持ち手の棒を指で挟んで手軽に食べられるが、その反面、液だれによって手指を汚すおそれがある。また、食べている途中にアイスキャンディーの氷片を誤って落下させてしまうおそれもある。更には、棒を指で挟んだアイスキャンディーをそのまま口に運んで食する行為は、食事のマナーを考えると抵抗感のある方もいると思われる。
【０００７】
これらの場合は、アイスキャンディーをナイフ等で予め小さくにカットしておき、スプーンやフォークを用いて食べれば、上述の問題点は全て解消される。
【０００８】
しかしながら、ナイフでアイスキャンディーをカットする場合は、滑って一定の大きさにキチンとカットできなかったり、液だれでテーブルの上や周囲を汚したりして、意外と厄介で後片付けも面倒であるという問題点を有している。
【０００９】
従って、アイスキャンディーをカットする場合においては、キチンと一定の大きさに揃えて簡単にカットすることと、カットの際にテーブルの上や周囲を液だれで汚さないこととに解決しなければならない課題を有している。
【課題を解決するための手段】
【００１０】
前記従来例の課題を解決するための本考案の要旨は、棒付きのアイスキャンディーをブロック状にカットするためのアイスキャンディー用カッターであって、該アイスキャンディー用カッターは、底部と４箇所の側壁と開口する上部とを有する箱形の容器部と、該容器部に施蓋する蓋部とからなり、前記容器部は、前記底部に枡目状に区切られた下刃が設けられ、少なくとも１箇所の前記側壁に前記棒を突出させるための切欠き部を有し、前記蓋部は、下側に枡目状に区切られた上刃が設けられていることである。
【００１１】
また、前記蓋部の上側にスプーン収納部を設け、該スプーン収納部にスプーン部材を取り出し自在に収納すること、；
前記下刃及び上刃の先端部は、鋸刃状に形成されていること、；
を含むものである。
【考案の効果】
【００１２】
本考案に係るアイスキャンディー用カッターによれば、容器部に棒付きのアイスキャンディーを収納してから、当該容器部に蓋部を被せて押し下げることで、アイスキャンディーをブロック状に簡単にカットすることができる。そして、蓋部を持ち上げる前に棒を容易に引き抜くことができる
この場合、液だれでテーブルの上や周囲を汚すことがなく、後片付けや洗浄も簡単であるという種々の優れた効果を奏する。
【００１３】
蓋部の上側にスプーン収納部を設け、該スプーン収納部にスプーン部材を取り出し自在に収納することによって、小さくカットされたアイスキャンディーをスプーン部材ですくってその場で食することができるという優れた効果を奏する。
【００１４】
下刃及び上刃の先端部は、鋸刃状に形成されていることによって、アイスキャンディーを切れ味鋭くカットできるという優れた効果を奏する。
【図面の簡単な説明】
【００１５】
【図１】本考案に係るアイスキャンディー用カッター１１の斜視図である。
【図２】容器部１２の斜視図である。
【図３】容器部１２の平面図である。
【図４】蓋部１３の斜視図である。
【図５】蓋部１３の斜視図である。
【図６】スプーン部材２２の斜視図である。
【図７】アイスキャンディー用カッター１１の使用方法を説明する斜視図である。
【図８】アイスキャンディー用カッター１１の使用方法を説明する斜視図である。
【図９】アイスキャンディー用カッター１１の使用方法を説明する斜視図である。
【考案を実施するための形態】
【００１６】
次に、本考案の実施の形態について図面を参照しながら説明する。まず、図１において、符号１１はアイスキャンディー用カッターを示し、このアイスキャンディー用カッター１１は、容器部１２と、容器部１２に施蓋する蓋部１３とから構成される。
【００１７】
容器部１３は、図２に示すように、長方形状の底部１４と、底部１４の４辺に立設する４箇所の側壁１５と、開口する上部１６とを有して、箱形に形成されている。
【００１８】
容器部１３の底部１４には、図３に示すように、枡目状に区切られた下刃１７が設けられている。また、下刃１７の先端部１７ａは、図２に示すように、鋸刃状に形成されている。
【００１９】
１箇所の側壁１５には、切欠き部１９が設けられている。この切欠き部１９は、図８に示すように、アイスキャンディー２３の持ち手用の棒２３ａを突出させるための部位である。
【００２０】
蓋部１３は、容器部１２の開口した上部１６に対して施蓋できる大きさであり、蓋部１３の下側には、図４及び図５に示すように、枡目状に区切られた上刃２０が設けられている。また、上刃２０の先端部２０ａは鋸刃状に形成されている。
【００２１】
このように、上刃２０の先端部２０ａと、下刃１７の先端部１７ａとが共に鋸刃状に形成されていることによって、アイスキャンディー２３を切れ味鋭くカットできることとなる。
【００２２】
蓋部１３の上側には、図４に示すように、凹形状のスプーン収納部２１が設けられている。このスプーン収納部２１にはスプーン部材２２が取り出し自在に収納される。従って、小さくカットされたアイスキャンディーをスプーン部材２２ですくってその場で食することができる。
【００２３】
スプーン部材２２は、図６に示すように、摘み部２２ａと、柄２２ｂと、掬い部２２ｃとを有しており、摘み部２２ａには、キャラクター模様等をデザインしてもよい。
【００２４】
次に、アイスキャンディー用カッター１１の使用方法について説明する。まず、図７及び図８に示すように、容器部１２に棒付きのアイスキャンディー２３を収納してから、当該容器部１２に蓋部１３を被せて押し下げる。そして、蓋部１３を持ち上げる前に、棒２３ａを引き抜く。
【００２５】
このような手順でカット作業を行うことによって、図９に示すように、アイスキャンディー２３をブロック状に簡単にカットすることができる。この場合、液だれでテーブルの上や周囲を汚すことがなく、後片付けや洗浄が簡単である。
【符号の説明】
【００２６】
１１  アイスキャンディー用カッター
１２  容器部
１３  蓋部
１４  底部
１５  側壁
１６  上部
１７  下刃
１７ａ先端部
１９  切欠き部
２０  上刃
２０ａ先端部
２１  スプーン収納部
２２  スプーン部材
２２ａ摘み部
２２ｂ柄
２２ｃ掬い部
２３  アイスキャンディー
２３ａ棒
【図１】
0003190996.tif 000003
【図２】
0003190996.tif 000004
【図３】
0003190996.tif 000005
【図４】
0003190996.tif 000006
【図５】
0003190996.tif 000007
【図６】
0003190996.tif 000008
【図７】
0003190996.tif 000009
【図８】
0003190996.tif 000010
【図９】
0003190996.tif 000011